(57)【要約】【課題】食器類の乾燥性能を向上させること。【解決手段】送風口２２を設けた洗浄槽２の側面２ｂと相対する側面２ｃの略中央底部から上方部に向けて少なくとも１つの案内リブ２５を設けたことにより、送風口２２から送り込まれた空気が、送風口２２が洗浄槽２の配置される側面２ｂと相対する側面２ｃに送り込まれると、空気の一部は案内リブ２５により相対する側面２ｃの上方に向けて送風されるので、洗浄槽２の相対する側面２ｃの上方端部にあるコップ２４等の食器３や、洗浄槽２の相対する側面２ｃの上方端部周辺を乾燥させることができ、乾燥性能を向上させることができる。【選択図】図１
2011030623.tif 000002
【特許請求の範囲】
【請求項１】
食器類を配置する食器かごを収納する洗浄槽と、前記洗浄槽内の洗浄水を循環させる洗浄手段と、前記洗浄槽内で自由に回転できるように配設される洗浄ノズルと、洗浄水および空気を加熱する加熱手段と、前記洗浄槽の側面に設けた送風口から前記洗浄槽外の空気を前記洗浄槽内に送風する送風手段と、前記洗浄槽内の空気を排気する排気口とを備え、前記送風口を設けた洗浄槽の側面と相対する側面の略中央底部から上方に向けて少なくとも１つの案内リブを設けた食器洗い乾燥機。
【請求項２】
排気口を、送風口を設けた洗浄槽の側面に設けた請求項１記載の食器洗い乾燥機。
【請求項３】
洗浄槽の送風口を設けた側面と相対する側面の略中央部に、前記洗浄槽内側に向けた凸部を設けた請求項１または２記載の食器洗い乾燥機。
【請求項４】
洗浄槽の凸部近傍に洗浄手段を配置した請求項３に記載の食器洗い乾燥機。
【請求項５】
洗浄槽底面を、前記洗浄槽底面中央を略中心とする略円錐形状にした請求項１〜４のいずれか１項に記載の食器洗い乾燥機。
【請求項６】
食器かごは下かごと、前記下かごの上部に上かごを有するとともに、前記上かごは送風口を設けた洗浄槽の側面と相対する側面近傍に、前記送風口を設けた洗浄槽の側面の相対する側面の水平方向と略並行して食器類を配置する請求項１〜５のいずれか１項に記載の食器洗い乾燥機。
【発明の詳細な説明】
【技術分野】
【０００１】
本発明は一般家庭で食器類や調理類を洗浄する食器洗い乾燥機に関するものである。
【背景技術】
【０００２】
従来、この種の食器洗い乾燥機１は図１１〜図１３に示すような構成をしている。以下、その構成について説明する。
【０００３】
前方に開口する食器洗い乾燥機１（固定側箱状体）内に、上方に開口する洗浄槽２（可動側箱状体）が収納され、洗浄槽２は、食器洗い乾燥機１の両内側面１ａに取り付けられた両固定レール３と、両固定レール３にそれぞれ滑動自在に装着された両可動レール４とから構成されるスライドレール５により前後方向に移動可能で、食器洗い乾燥機１の前方開口部から引き出すことができるように構成されている。
【０００４】
また、洗浄槽２は樹脂成型によって形成され、スライドレール５は洗浄槽２の略底部に配置されるものである。
【０００５】
この食器洗い乾燥機１は、キッチンキャビネットＡ内にビルトインするのが基本的な設置形態であるが、食器洗い乾燥機１を設置場所の台上に固定して使用することもできる。
【０００６】
洗浄槽２は、内部に食器６を収納する食器かご７を設けている。また、洗浄槽２内には、洗浄槽２内の洗浄水を加熱する加熱手段８（例えばシーズヒータなど）を設けるとともに、洗浄手段９（例えば洗浄ポンプ）が洗浄水を加圧して、洗浄ノズル１０の噴射孔１１より洗浄水を噴射し食器かご７に収納した食器６を洗浄するように構成している。給水弁１２は水道水を洗浄槽２に供給するものである。洗浄槽２内の洗浄水は排水手段１３により排水される。
【０００７】
フィルタ１４は洗浄槽２に設け、洗浄行程およびすすぎ行程において、残菜（食器６に汚れとして付着していた食品を残菜という）を捕集する。送風手段１５は、乾燥行程で動作して食器洗い乾燥機１外の空気を洗浄槽２内に送風し、排気口１６より排気することにより、洗浄槽２内の食器６を乾燥させる。
【０００８】
温度検知手段１７は、洗浄槽２を介して、洗浄水、空気および加熱手段８の温度を検知するものである。
【０００９】
制御装置１８は、給水弁１２が洗浄槽２内に洗浄水を供給するのを制御したり、温度検知手段１７の出力に基づいて加熱手段８を制御したりするとともに、洗浄手段９、給水弁１２、排水手段１３、送風手段１５等を制御して、洗浄、すすぎ、乾燥の一連の行程を逐次制御するよう構成している。
【００１０】
中フタ１９は、図１１に示すように、周囲にパッキン２０が備えられており、洗浄槽２が食器洗い乾燥機１の所定の位置に収納されたときに、パッキン２０と洗浄槽２の上部２Ａ周囲とが接触して、洗浄槽２の上方の開口部を塞ぐものである。そして、洗浄槽２と中フタ１９との接触部に洗浄水が供給されてもパッキン２０により洗浄水が洗浄槽２外へ出て行くのを防止することができる。
【００１１】
なお、図１２に示すように、加熱手段８は、洗浄槽２の底部を食器洗い乾燥機１を引き出す側の上方から見たときに、底部の左右どちらか一方（図１２では右側）に配置されて
いる。また、図１１〜図１３に示すように、送風手段１５が生み出す空気は、送風手段１５と洗浄槽２とを接続する送風経路２１および送風口２２を介して洗浄槽２の底部にある加熱手段８に向けて送り込まれる。
【００１２】
上記構成において動作を説明すると、利用者が食器洗い乾燥機１から洗浄槽２を引き出し、食器６を食器かご７に配置し、洗浄槽２に収納して洗剤を入れた後、洗浄槽２を食器洗い乾燥機１内に収納する。そして、運転を開始すると、まず排水手段１３が動作して、前回の運転等で洗浄槽２内に残っている洗浄水（残水と呼ぶ）を食器洗い乾燥機１外へ排出する。
【００１３】
そして、給水弁１２が動作して洗浄水を洗浄槽２に供給する。
【００１４】
所定の洗浄水が供給されると、洗浄手段９が洗浄水を加圧し、洗剤とともに洗浄ノズル１０に設けた噴射孔１１から洗浄水が噴射される。こうして洗浄行程が行われる。この洗浄行程では洗浄槽２内に設けた加熱手段８に通電して、洗浄水を洗浄行程での所定温度まで加熱する。
【００１５】
所定時間の洗浄行程を経ると、次に食器６から洗い落とされた汚れを含む洗浄水を、排水手段１３により食器洗い乾燥機１外へ排出する。
【００１６】
引き続いて、新たに洗浄水を供給して洗浄ノズル１０に設けた噴射孔１１から再び噴射して、洗剤や残菜等で汚れた食器６をすすぐ行程を実行する。
【００１７】
このすすぎ行程を終えると、洗浄水を再び食器洗い乾燥機１外へ排出する。このすすぎ行程は連続して数回繰り返される。なお、洗浄およびすすぎ行程において、残菜は洗浄槽２に設けたフィルタ１４内に捕集される。
【００１８】
所定回数のすすぎ行程が終了すると乾燥行程が開始する。この行程では、送風手段１５が動作して食器洗い乾燥機１外の空気が洗浄槽２内へ送り込まれる。送り込まれた空気は加熱手段８により加熱された後、食器６を乾燥させて排気口１６より食器洗い乾燥機１外へ排出される。乾燥行程終了後、運転を終了する。
【先行技術文献】
【特許文献】
【００１９】
【特許文献１】特開２００８−６１３８号公報
【特許文献２】特許第３１２９３１６号公報
【発明の概要】
【発明が解決しようとする課題】
【００２０】
しかしながら、図１１〜図１３に示されるような従来の食器洗い乾燥機１の構成では、以下のような課題がある。
【００２１】
送風口２２から送り込まれ加熱手段８により加熱された空気は、送風口２２を設けた洗浄槽２の側面２ｂと相対する側面２ｃに送り込まれるが、このとき送り込まれた空気は、図１２に示すように、洗浄槽２の側面２ｃの隅々にまで十分に広がらずに排気口１６から洗浄槽２外へ排気されてしまう。そのために、洗浄槽２の側面２ｃの端に配置される食器６の皿類２３やコップ類２４に、加熱手段８により加熱された空気が、皿類２３やコップ類２４が乾燥するのに必要な量だけ供給されず、その結果、所定の乾燥性能が得られなかったり、所定の乾燥性能を得るために乾燥時間が長くなったりするという課題を有している（特許文献１）。
【００２２】
この課題を解決する手段として、図１４および図１５に示すように、排気口１６を送風口２２と同一側面、すなわち、送風口２２を設けた洗浄槽２の側面２ｂに設けた構成が提案されている（特許文献２）。
【００２３】
図１４および図１５に示す構成では、排気口１６と送風口２２の両方を洗浄槽２の側面２ｂに設けたので、送風口２２から送り込まれた空気は、側面２ｂと相対する側面２ｃ側に送り込まれ、その後、折り返して側面２ｂ側に流れていき、排気口１６から洗浄槽２外へ排気される。そうすることで、送風口２２から送り込まれた空気が洗浄槽２内を流れる経路が長くなるので、加熱手段８により加熱された空気が洗浄槽２内にある食器６と接触する時間が長くなり、食器６の乾燥性能が向上することになる。
【００２４】
しかしながら、この構成においても、図１５に示すように、送風口２２から送り込まれた空気は、洗浄槽２の側面２ｃの隅々にまで十分に広がらないので、洗浄槽２の側面２ｃの端に配置される食器６の皿類２３やコップ類２４には、加熱手段８により加熱された空気が、皿類２３やコップ類２４が乾燥するのに必要な量だけ供給されず、所定の乾燥性能が得られなかったり、所定の乾燥性能を得るために乾燥時間が長くなったりするという課題を有している。
【００２５】
本発明は上記従来の課題を解決するもので、食器類の乾燥性能を向上させることを目的としている。
【課題を解決するための手段】
【００２６】
前記従来の課題を解決するため、本発明の食器洗い乾燥機は、食器類を配置する食器かごを収納する洗浄槽と、洗浄槽内の洗浄水を循環させる洗浄手段と、洗浄槽内で自由に回転できるように配設される洗浄ノズルと、洗浄水および空気を加熱する加熱手段と、洗浄槽の側面に設けた送風口から洗浄槽外の空気を洗浄槽内に送風する送風手段と、洗浄槽内の空気を排気する排気口とを備え、送風口を設けた洗浄槽の側面と相対する側面の略中央底部から上方に向けて少なくとも１つの案内リブを設けたものである。
【００２７】
これにより、送風口から送り込まれて加熱手段により加熱された空気が、送風口が配置される洗浄槽の側面と相対する側面に送り込まれると、空気の一部は案内リブにより、相対する側面の上方に向けて送風されるので、洗浄槽の相対する側面の上方端部にあるコップ等の食器や、洗浄槽の相対する側面の上方端部周辺を乾燥させることができ、乾燥性能を向上させることができる。
【発明の効果】
【００２８】
本発明の食器洗い乾燥機は、請求項１の構成にしたから、送風口から送り込まれて加熱手段により加熱された空気が、洗浄槽の送風口が配置される側面と相対する側面の案内リブにより、、側面の上方端部に向けて送風されるので、今まで加熱手段により加熱された空気を送り込みにくかった洗浄槽の側面の上方端部にあるコップ等の食器や、洗浄槽の側面の上方端部周辺を乾燥させることができ、乾燥性能を向上させることができる。それゆえ、乾燥行程での食器の乾燥性能を向上させることができたり、乾燥行程時間を短縮したりすることができる。
【図面の簡単な説明】
【００２９】
【図１】本発明の第１の実施例の食器洗い乾燥機の前後方向の縦断面図
【図２】同食器洗い乾燥機の洗浄槽を上方から見た図
【図３】（ａ）同食器洗い乾燥機を本体前側から見た図（ｂ）同食器洗い乾燥機を本体前側から見た場合の空気の流れを示す図
【図４】同食器洗い乾燥機の洗浄槽の側面中央に凸部を設けた場合の洗浄槽を上方から見た図
【図５】（ａ）同食器洗い乾燥機の洗浄槽の四隅の一角に洗浄手段を配置した場合の、洗浄槽と食器および食器かごとの関係を示す図（ｂ）同食器洗い乾燥機の洗浄槽を上方から見た場合の、洗浄槽の四隅の一角に洗浄手段を配置した場合の洗浄槽と食器および食器かごとの関係を示す図
【図６】同食器洗い乾燥機の洗浄槽の四隅の一角に洗浄手段を配置した場合の本体前側から見たときの空気の流れを示す図
【図７】同食器洗い乾燥機の洗浄槽の側面中央に凸部を設けた場合の洗浄槽を上方から見た図
【図８】同食器洗い乾燥機の洗浄槽の側面中央に凸部を設けた場合の本体前側から見たときの空気の流れを示す図
【図９】（ａ）同食器洗い乾燥機の洗浄槽底面を略円錐形状にした場合の洗浄槽を上方から見た図（ｂ）同食器洗い乾燥機の洗浄槽底面を略円錐形状にした場合の本体前側から見たときの図
【図１０】（ａ）同食器洗い乾燥機の送風口を設けた洗浄槽の側面と相対する側面近傍に、送風口を設けた洗浄槽の側面と相対する側面の水平方向と略並行になるように上かごに収納される食器を配置した場合の図（ｂ）同食器洗い乾燥機の送風口を設けた洗浄槽の側面と相対する側面近傍に、送風口を設けた洗浄槽の側面と相対する側面の水平方向と略並行になるように上かごに収納される食器を配置した場合の図
【図１１】従来の食器洗い乾燥機の前後方向の縦断面図
【図１２】同食器洗い乾燥機の洗浄槽を上方から見た図
【図１３】同食器洗い乾燥機を本体前側から見た図
【図１４】同食器洗い乾燥機の排気口と送風口とを洗浄槽の同一側面に設けた場合の前後方向の縦断面図
【図１５】同食器洗い乾燥機の排気口と送風口とを洗浄槽の同一側面に設けた場合の洗浄槽を上方から見た図
【発明を実施するための形態】
【００３０】
第１の発明は、食器類を配置する食器かごを収納する洗浄槽と、洗浄槽内の洗浄水を循環させる洗浄手段と、洗浄槽内で自由に回転できるように配設される洗浄ノズルと、洗浄水および空気を加熱する加熱手段と、洗浄槽の側面に設けた送風口から洗浄槽外の空気を洗浄槽内に送風する送風手段と、洗浄槽内の空気を排気する排気口とを備え、送風口を設けた洗浄槽の側面と相対する側面の略中央底部から上方に向けて少なくとも１つの案内リブを設けたものであり、送風口から送り込まれて加熱手段により加熱された空気が、洗浄槽の送風口が配置される側面と相対する側面に送り込まれると、空気の一部は案内リブにより、相対する側面の上方端部に向けて送風されるので、洗浄槽の相対する側面の上方端部にあるコップ等の食器や、洗浄槽の相対する側面の上方端部周辺を乾燥させることができ、乾燥性能を向上させることができる。それゆえ、乾燥行程での食器の乾燥性能を向上させることができたり、乾燥行程時間を短縮したりすることができる。
【００３１】
第２の発明は、特に、第１の発明の排気口を、送風口を設けた洗浄槽の側面に設けたものであり、送風口から送り込まれた空気は、加熱手段により加熱された後、洗浄槽の送風口と排気口とが設けられた側面と相対する側面側に送り込まれ、その後、折り返して洗浄槽の送風口と排気口とが設けられた側面側に流れていき、排気口から洗浄槽外へ排気される。
【００３２】
こうすることにより、加熱手段により加熱された空気の一部は洗浄槽の相対する側面で、案内リブにより相対する側面の上方端部に向けて送風され、洗浄槽の相対する側面の上方端部にあるコップ等の食器や、洗浄槽の相対する側面の上方端部周辺を乾燥させるとと
もに、排気口を、送風口を設けた洗浄槽の側面と相対する側面に設けた場合よりも、加熱手段により加熱された空気が洗浄槽内で通過する距離を長くすることができるので、加熱された空気が食器や食器かご等に接触する回数を増やすことができたり、接触時間を長くしたりすることができ、食器の乾燥性能をより向上させることができる。
【００３３】
第３の発明は、特に、第１または第２の発明の洗浄槽の送風口を設けた側面と相対する側面の略中央部に、前記洗浄槽内側に向けた凸部を設けたものであり、案内リブよりもより滑らかに空気の流れを変化することができるので、送風口から加熱手段に送り込まれて加熱された空気は、相対する側面に送り込まれると、案内リブよりもより滑らかに相対する側面の底部中央から上方端部に向けて流れていくことができる。
【００３４】
それゆえ、相対する側面に配置されるコップ等の食器６に、より効率的に空気を送ることができ、乾燥性能をより一層向上させることができる。
【００３５】
第４の発明は、特に、第３の発明の洗浄槽の凸部近傍に洗浄手段を配置したものであり、洗浄槽底部から従来の洗浄手段を配置するための凸部をなくすことができるので、従来の洗浄手段を配置するための凸部近傍に配置される食器および食器かごと洗浄槽２底部との隙間を従来よりも広くすることができる。その結果、送風口から送り込まれる空気が従来の洗浄手段が配置されていタ洗浄槽底部にも流れやすくなり、従来の洗浄手段が配置される凸部近傍に収納される皿類等の食器にも空気が送り込むことができ、乾燥性能を向上させることができる。
【００３６】
以上より、送風口を設けた洗浄槽の側面と相対する側面に設けた凸部に、洗浄手段を配置することにより、従来の洗浄手段が配置されていた近傍に配置される皿類等の食器の乾燥性能を向上させることができるので、食器全体の乾燥性能を向上させることができる。
【００３７】
第５の発明は、特に、第１〜４のいずれか１項の発明の洗浄槽底面を、前記洗浄槽底面中央を略中心とする略円錐形状にしたものであり、送風口から送り込まれた空気が洗浄槽底面に到達すると、洗浄槽底面の略円錐形状に従って、均一に滑らかに広がっていくことになる。その結果、空気を洗浄槽底面から食器に向かって均一に上昇していくようにすることができるので、乾燥ムラを低減することができ、乾燥性能をより向上させることができる。
【００３８】
第６の発明は、特に、第１〜５のいずれか１項の発明の食器かごは下かごと、下かごの上部に上かごを有するとともに、上かごは送風口を設けた洗浄槽の側面と相対する側面近傍に、送風口を設けた洗浄槽の側面と相対する側面の水平方向と略並行して食器類を配置するものであり、送風口から送り込まれた空気は、送風口を設けた洗浄槽の側面と相対する側面に設けた案内リブや相対する側面の凸部等の作用により、相対する側面の底部から均一な風速分布で相対する側面の上方に向かって上昇していくので、相対する側面の上部に、相対する側面と水平方向に略並行して配置されたコップ類等の食器の外側だけでなく内部にも均一に空気を送風することができるので、コップ類等の食器を内部と外側の両方から効率的に乾燥させることができ、乾燥性能を向上させることができる。
【実施例】
【００３９】
以下、本発明の第１の実施例について、図面を参照しながら説明する。なお、従来例と同じ構成のものは同一符号を付して説明を省略する。
【００４０】
（実施例１）
図１〜図３に示す食器洗い乾燥機１において、食器洗い乾燥機１（固定側箱状体）内に、上方に開口された洗浄槽２（可動側箱状体）が収納される。
【００４１】
洗浄槽２は、食器洗い乾燥機１の両内側面１ａに取り付けられた両固定レール３と、両固定レール３にそれぞれ滑動自在に装着された両可動レール４とから構成されるスライドレール５により前後方向に移動可能で、食器洗い乾燥機１の前方開口部から引き出すことができるように構成されている。
【００４２】
この食器洗い乾燥機１は、キッチンキャビネットＡ内にビルトインするのが基本的な設置形態であるが、食器洗い乾燥機１を設置場所の台上に固定して使用することもできる。
【００４３】
食器６を配置する食器かご７を収納する洗浄槽２内には、洗浄水を加熱する加熱手段８（例えばシーズヒータなど）が設けられている。また、洗浄槽２の略下面に配置された洗浄手段９は、洗浄水を加圧するものである。洗浄手段９により加圧された洗浄水は、洗浄槽２内に設けられた洗浄ノズル１０の噴射孔１１より噴射される。洗浄槽２内の洗浄水は給水弁１２から洗浄槽２に給水され、排水手段１３により排水されるものである。
【００４４】
フィルタ１４は洗浄槽２に設けられており、食器６を洗浄する洗浄行程および食器６をすすぐすすぎ行程で、残菜（食器６に汚れとして付着していた食品を残菜という）を捕集する。
【００４５】
送風手段１５は、乾燥行程で動作して、食器洗い乾燥機１外の空気を洗浄槽２内に供給し、排気口１６より排気することで、洗浄槽２内の食器６を乾燥させる。
【００４６】
温度検知手段１７は、洗浄槽２内の洗浄水、空気および加熱手段８の温度を検知するものである。
【００４７】
制御装置１８は、給水弁１２が洗浄槽２内に洗浄水を供給するのを制御したり、温度検知手段１７の出力に基づいて加熱手段８を制御したりするとともに、洗浄手段９、給水弁１２、排水手段１３、送風手段１５等を制御して、洗浄、すすぎ、乾燥の一連の行程を逐次制御するよう構成している。
【００４８】
中フタ１９は、周囲にパッキン２０を備えており、食器洗い乾燥機１の所定の位置に洗浄槽２が収納されると、パッキン２０と洗浄槽２の上部２Ａ周囲とが接触して洗浄槽２の上方の開口部を塞ぎ、洗浄水や空気が洗浄槽２の上部２Ａ周囲から出ていくのを防止するものである。
【００４９】
なお、図２に示すように、本実施例では、加熱手段８は、洗浄槽２を食器洗い乾燥機１を引き出す側の上方から見たときに、洗浄槽２の底部の略右側に配置されている（左側であったり、洗浄槽２が引き出される側であったり、その反対側であったりしてもよい）。
【００５０】
また、図２および図３（ｂ）に示すように、送風手段１５が生み出す空気は、送風手段１５と洗浄槽２とを接続する送風経路２１および送風口２２を介して洗浄槽２の底部にある加熱手段８に向けて送り込まれるものである。
【００５１】
送風口２２は、図１および図３（ａ）に示すように、洗浄槽２の排気口１６が配置される側面２ｂに設けられている（図１および図３（ａ）では、側面２ｂは、洗浄槽２が引き出される側の側面である）。送風口２２と排気口１６とが洗浄槽２の同じ側面２ｂに配置されるので、送風口２２から送り込まれた空気は、図２に示すように、加熱手段８により加熱された後、洗浄槽２の送風口２２と排気口１６とを設けた側面２ｂと相対する側面２ｃ側に送り込まれ、その後、折り返して洗浄槽２の送風口２２と排気口１６とを設けた側面２ｂ側に流れていき、排気口１６から洗浄槽２外へ排気される。
【００５２】
洗浄槽２の送風口２２と排気口１６とを設けた側面２ｂと相対する側面２ｃには、図２および図３（ａ）、図３（ｂ）に示すように、送風口２２から加熱手段８に送り込まれ加熱された空気が側面２ｃの隅々にまで供給されるように、側面２ｃの略中央底部から上方に向けて少なくとも１つの案内リブ２５が設けられている。
【００５３】
上記構成において動作を説明すると、利用者が食器洗い乾燥機１から洗浄槽２を引き出し、食器かご７に食器６を配置し、洗浄槽２に収納して洗剤を入れた後、洗浄槽２を食器洗い乾燥機１内に収納して運転を開始すると、排水手段１３が動作して、前回の運転等で洗浄槽２内に残っている洗浄水（残水と呼ぶ）を食器洗い乾燥機１外へ排出する。
【００５４】
次に、給水弁１２が動作して所定量の洗浄水を洗浄槽２に供給する。
【００５５】
所定量の洗浄水が供給されると、洗浄手段９により洗浄水が加圧され、洗剤とともに洗浄ノズル１０に設けた噴射孔１１から洗浄水が噴射される。こうして洗浄行程が行われる。この洗浄行程では洗浄槽２内に設けた加熱手段８に通電して、洗浄水を洗浄所定温度まで加熱する。
【００５６】
洗浄行程が所定時間行われると、排水手段１３が食器６から洗い落とされた汚れを含む洗浄水を食器洗い乾燥機１外へ排出する。そして、新たに給水弁１２が洗浄水を供給し、洗浄ノズル１０に設けた噴射孔１１から再び洗浄水が噴射されて、洗剤や残菜等で汚れた食器６をすすぐ行程を実行する。
【００５７】
このすすぎ行程が終わると、洗浄水を再び食器洗い乾燥機１外へ排出する。このすすぎ行程は連続して数回繰り返される。洗浄およびすすぎ行程では、残菜は洗浄槽２に設けたフィルタ１４内に捕集される。所定回数のすすぎ行程が終了すると乾燥行程が開始する。この行程では、送風手段１５が動作して食器洗い乾燥機１外の空気が洗浄槽２内へ送り込まれる。送り込まれた空気は加熱手段８により加熱された後、食器６を乾燥させて排気口１６より食器洗い乾燥機１外へ排出される。乾燥行程終了後、運転を終了する。
【００５８】
なお、複数回行われるすすぎ行程のうち、少なくとも１回は洗浄水を加熱手段８により加熱しながら食器６をすすぐ加熱すすぎ行程であってもよい。
【００５９】
このように構成された本実施例によれば、図１〜図３に示すように、洗浄槽２の送風口２２を設けた側面２ｂと相対する側面２ｃの略中央近傍に、略中央部底部から上方端部に向けて少なくとも１つの案内リブ２５を設けることにより、送風口２２から送り込まれて加熱手段８により加熱された空気が、洗浄槽２の送風口２２が配置される側面２ｂと相対する側面２ｃに送り込まれると、図３（ｂ）に示すように、空気の一部は案内リブ２５により、側面２ｃの上方端部に向けて送風されるので、洗浄槽２の側面２ｃの上方端部にあるコップ２４等の食器６や、洗浄槽２の側面２ｃの上方端部周辺を乾燥させることができ、乾燥性能を向上させることができる。
【００６０】
なお、図３に示すように、案内リブ２５を、洗浄槽２の側面２ｃの底部中央から、上方のコップ類２４が配置される方に向けて傾斜しながら形成してもよい。
【００６１】
それから、図１および図２に示すように、排気口１６を、送風口２２が設けられた洗浄槽２の側面２ｂに設けることにより、送風口２２から送り込まれた空気は、加熱手段８により加熱された後、洗浄槽２の送風口２２と排気口１６とが設けられた側面２ｂと相対する側面２ｃ側に送り込まれ、その後、折り返して洗浄槽２の送風口２２と排気口１６とが設けられた側面２ｂ側に流れていき、排気口１６から洗浄槽２外へ排気される。
【００６２】
こうすることにより、加熱手段８により加熱された空気の一部は洗浄槽２の側面２ｃで、案内リブ２５により側面２ｃの上方端部に向けて送風され、洗浄槽２の側面２ｃの上方端部にあるコップ２４等の食器６や、洗浄槽２の側面２ｃの上方端部周辺を乾燥させるとともに、図１１〜図１３に示すような、排気口１６を、送風口２２を設けた洗浄槽２の側面２ｂと相対する側面２ｃに設けた場合よりも、加熱手段８により加熱された空気が洗浄槽２内で通過する距離を長くすることができるので、加熱された空気が食器６や食器かご７等に接触する回数を増やすことができたり、接触時間を長くしたりすることができ、食器６の乾燥性能をより向上させることができる。
【００６３】
それから、図４に示すように、送風口２２を設けた洗浄槽２の側面２ｂと相対する側面２ｃの略中央部に、洗浄槽２の内側に向けた凸部２６を設けることにより、案内リブ２５よりもより滑らかに空気の流れを変化することができるので、送風口２２から加熱手段８に送り込まれて加熱された空気は、側面２ｃに送り込まれると、案内リブ２５よりもより滑らかに側面２ｃの底部中央から上方端部に向けて流れていくことができる。
【００６４】
それゆえ、側面２ｃに配置されるコップ２４等の食器６に、より効率的に空気を送ることができ、乾燥性能をより一層向上させることができる。
【００６５】
なお、凸部２６の上部に案内リブ２５を設けてもよい。
【００６６】
それから、食器洗い乾燥機１が配置されるキッチンの場所によっては、高さ方向にスペース的余裕がない場合は、図５（ａ）および図５（ｂ）に示すように、従来は洗浄槽２の洗浄手段９が配置される近傍に、洗浄手段配置凸部２７を設ける必要があり、そのために、食器６および食器かご７と洗浄手段配置凸部２７との隙間Ｈが狭くなってしまって、送風口２２から送り込まれる空気が隙間Ｈに流れにくくなり、その結果、図６に示すように、洗浄手段配置凸部２７近傍に配置される皿類２３等の食器６に空気を送り込みにくく、皿類２３等の食器６の乾燥性能が向上しなかったのを、図７に示すように、送風口２２を設けた洗浄槽２の側面２ｂと相対する側面２ｃの略中央部に洗浄槽２の内側に向けて設けた凸部２６に、洗浄手段９を配置することにより、図７および図８に示すように、洗浄手段配置凸部２７をなくすことができるので、従来の洗浄手段配置凸部２７近傍に配置される食器６および食器かご７と洗浄槽２底部との隙間Ｍを従来よりも広くすることができる。その結果、送風口２２から送り込まれる空気が隙間Ｍにも流れやすくなり、従来の洗浄手段配置凸部２７近傍に配置される皿類２３等の食器６にも空気が送り込むことができ、乾燥性能を向上させることができる。
【００６７】
以上より、送風口２２を設けた洗浄槽２の側面２ｂと相対する側面２ｃに設けた凸部２６に、洗浄手段９を配置することにより、従来の洗浄手段９が配置されていた近傍に配置される皿類２３等の食器６の乾燥性能を向上させることができるので、食器６全体の乾燥性能を向上させることができる。
【００６８】
なお、本実施例では、洗浄手段９を縦置きの洗浄ポンプで記載したが、横置きの洗浄ポンプでも、食器洗い乾燥機１が配置されるキッチンによっては、図５および図６に示すような、洗浄槽２の底部の一部に洗浄槽配置凸部２７を設ける必要があることは言うまでもない。
【００６９】
それから、図９（ａ）および図９（ｂ）に示すように、洗浄槽底面２８を、洗浄槽底面中央２８ａを略中心とする略円錐形状にすることにより、送風口２２から送り込まれた空気が洗浄槽底面２８に到達すると、洗浄槽底面２８の略円錐形状に従って、均一に滑らかに広がっていくことになる。その結果、空気を洗浄槽底面２８から食器６に向かって均一
に上昇していくようにすることができるので、乾燥ムラを低減することができ、乾燥性能をより向上させることができる。
【００７０】
それから、図１０（ａ）および図１０（ｂ）に示すように、食器かご７は主に大皿や中皿、小皿等の皿類２３や茶碗、汁椀等の椀類が収納される下かご２９と、下かご２９の上部に、主にグラスや湯呑等のコップ類２４が収納される上かご３０を有するとともに、上かご３０は洗浄槽２の送風口２２を設けた側面２ｂと相対する側面２ｃ近傍に、洗浄槽２の側面２ｃと水平方向に略並行して食器６を配置するように構成することにより、送風口２２から送り込まれた空気は、送風口２２を設けた洗浄槽２の側面２ｂと相対する側面２ｃに設けた案内リブ２５や側面２ｃの凸部２６、洗浄槽底面２９の略円錐形状等の作用により、側面２ｃの底部から均一な風速分布で側面２ｃの上方に向かって上昇していくので、側面２ｃの上部に、側面２ｃと水平方向に略並行して配置されたコップ類２４等の食器６にも均一な風速分布で空気を送風することができる。それゆえ、コップ類２４の内部にも均一に加熱手段８により加熱された空気を送り込むことができるので、コップ類２４を外側と内部の両方から均一に加熱することができ、コップ類２４の食器６を効率的に乾燥させることができる。
【００７１】
したがって、図１１や図１２に示すような食器配置では、内部にまで加熱された空気を送風できないコップ類２４が存在し、そのコップ類２４の内部を乾燥させるのに多くの時間を有していたのを、前記のような洗浄槽２の側面２ｃの底部から上部に向かって均一な風速分布で送風できる取り組みを行うとともに、図１０（ａ）および図１０（ｂ）に示す食器配置にすることで、コップ類２４を内部と外側の両方から効率的に乾燥させることができ、コップ類２４の乾燥性能を向上させたり、乾燥時間を短縮させたりすることができる。
【００７２】
なお、本実施例では、引き出しタイプのビルトイン食器洗い乾燥機について記載してきたが、台所の流し台の上に置く卓上型食器洗い乾燥機でも同様の効果があることは言うまでもない。
【産業上の利用可能性】
【００７３】
以上のように、本発明にかかる食器洗い乾燥機は、洗浄槽の上方端部に向けて空気を送風することができ、洗浄槽の上方端部にある食器の乾燥性能を向上させることができるので、家庭用の食器洗い乾燥機だけでなく、業務用の食器洗い乾燥機の用途にも適用できる。
【符号の説明】
【００７４】
１  食器洗い乾燥機
２  洗浄槽
２ｂ  送風口を設けた洗浄槽の側面
２ｃ  送風口を設けた洗浄槽の側面と相対する側面
６  食器
７  食器かご
８  加熱手段
９  洗浄手段
１０  洗浄ノズル
１５  送風手段
１６  排気口
２２  送風口
２５  案内リブ
２６  凸部
２８  洗浄槽底面
２９  下かご
３０  上かご
【図１】
2011030623.tif 000003
【図２】
2011030623.tif 000004
【図３】
2011030623.tif 000005
【図４】
2011030623.tif 000006
【図５】
2011030623.tif 000007
【図６】
2011030623.tif 000008
【図７】
2011030623.tif 000009
【図８】
2011030623.tif 000010
【図９】
2011030623.tif 000011
【図１０】
2011030623.tif 000012
【図１１】
2011030623.tif 000013
【図１２】
2011030623.tif 000014
【図１３】
2011030623.tif 000015
【図１４】
2011030623.tif 000016
【図１５】
2011030623.tif 000017